(57)【要約】【課題】ストールのような平らな物を体裁良く掛けることのできる椅子用ハンガーを提供する。【手段】ハンガー６は線材や棒材を曲げることによって製造されており、左右の支柱部６ａと、支柱部６ａの上端から外側に延びる副掛け部６ｂと、左右副掛け部６ｂの先端間に繋がった主掛け部６ｃとから成っている。支柱部６ａは側面視で後傾姿勢になっており、主掛け部６ｃは背面視で上向き凹状に緩く湾曲している。副掛け部６ｂと主掛け部６ｃとの間に厚い物品も通すことができる間隔が空いている。主掛け部６ｃが上向き凹状に湾曲しているため、ストール等の物品はハンガー６とセンターを揃えた状態に位置決めされる。このため体裁が良い。【選択図】図２
2008029581.tif 000002
【特許請求の範囲】
【請求項１】
椅子における背部の上部に取り付けられるハンガーであって、
背部の後方にはみ出ていて略左右方向に長く延びる主掛け部を有しており、前記主掛け部の少なくとも上面が、椅子の背面視で上向き凹状に湾曲又は屈曲した形状になっている、
椅子用ハンガー。
【請求項２】
線材のような細長い材料から成っており、背部から立ち上がった左右の支柱部と、左右支柱部の上端から左右外側に延びる副掛け部と、左右の副掛け部の先端部に連続した前記主掛け部とを備えており、前記支柱部を側面視で後傾させることにより、前記副掛け部も背部の後方にはみ出ており、更に、前記副掛け部及び主掛け部は側面視で後傾姿勢になっており、かつ、前記左右副掛け部が支柱部の左右外側にはみ出る寸法を左右支柱の間の間隔寸法と略同じ程度かそれより大きい寸法に設定している、
請求項１に記載した椅子用ハンガー。
【請求項３】
請求項１又は２に記載したハンガーを背部に取り付けている椅子であって、
前記背部は、樹脂製のインナーシェルを有する背もたれと、前記インナーシェルの上部が取り付く水平状のアッパーフレームを有する金属製の背支柱と、前記背支柱の後ろ側に配置された背面カバーとを備えており、前記インナーシェルと背面カバーとは前記背支柱のアッパーフレームよりも上方に延びており、前記背支柱のアッパーフレームにハンガーを固定している、
椅子。
【発明の詳細な説明】
【技術分野】
【０００１】
本願発明は、椅子用のハンガー、及びハンガーを取り付けた椅子に関するものである。
【背景技術】
【０００２】
椅子の背もたれに、衣類やストール、マフラーなどを掛けるためのハンガーを取り付けることが行われている。ハンガーの素材や形状、或いは取り付け構造は様々である。例えば、特許文献１には、ハンガーを細い線材製として、背もたれの背面に固定される左右支柱の上端に後ろ向き水平部を一体に折り曲げ形成し、左右の後ろ向き水平部の後端に、物品が掛けられる左右長手の横長水平部を一体に連続させたものが開示されている。
【０００３】
オフィスでデスクワークを行う女性の場合、冷え性対策等のためにストール（膝掛け）を使用することが多いが、ストールは常に使用している訳ではないので、不使用時のストールを邪魔にならない状態で椅子に掛けたいという要請がある。この点、特許文献１の構成であると、ストールやマフラーのような平な物品を２つ折りの状態にして掛けられるため、重宝であると言える。
【特許文献１】意匠登録第１１６５３６０号公報
【発明の開示】
【発明が解決しようとする課題】
【０００４】
さて、背広やジャケットのような立体的な衣類の場合は、これをハンガーに掛けると衣類が元々持っている形状が保持されるため、きちんと掛けている限り体裁が悪くなることはない。
【０００５】
しかし、特許文献１のように物品を掛ける部分が水平になっているハンガーでは、ストールやマフラー、スカーフ、ネクタイのような平らな物品の場合、ハンガーに掛けた状態で物品の左右横幅がハンガーの左右横幅よりも小さいと、物品が左に偏ったり右に偏ったりして体裁が悪くなり易いという問題がある。当初は物品のセンターをハンガーのセンターに合わせて掛けていても、椅子が動くことでずれてしまい、結果として体裁が悪くなることもある。
【０００６】
また、特許文献１では、ハンガーは、背もたれを構成する裏カバーの背面に固定しているが、裏カバーは一般に樹脂製であって強度は高くないため、ハンガーの取り付け強度を高くできない問題もあった。また、特許文献１では、ハンガーを取り付けていない状態ではハンガーの取り付け穴が露出するため、ハンガーの不使用状態で美観が損なわれる虞があり、更に、ハンガーを取り付けた状態でビス等によって固定した取り付け部が背もたれの裏側に露出するため、取り付けた状態においても体裁が良いとは言えず、この点も問題もあった。
【０００７】
更に、ハンガーには、ストールのような平らなもののみでなく背広やジャケット類のように後身頃と前身頃とをもつ立体形状の衣類を掛けたい要望も当然にあり、この場合、汚れ防止や傷付き防止の点から、衣類が背もたれに接触することはできるだけ避けるべきであるが、特許文献１ではハンガーの足部は背もたれの上端のほぼ真上に立ち上がっているため、衣類を掛けると前身頃が背もたれの背面に接触してしまうという点も問題であった。
【０００８】
本願発明は、このような現状を改善することを課題とするものである。
【課題を解決するための手段】
【０００９】
本願発明はハンガーとこれを取り付けた椅子とを含んでいる。請求項１の発明はハンガーに係るもので、この発明では、椅子における背部の上部に取り付けられるハンガーにおいて、背部の後方にはみ出ていて略左右方向に長く延びる主掛け部を有しており、前記主掛け部の少なくとも上面が、椅子の背面視で上向き凹状に湾曲又は屈曲した形状になっている。
【００１０】
請求項２の発明は、請求項１において、ハンガーは線材のような細長い材料から成っており、背部から立ち上がった左右の支柱部と、左右支柱部の上端から左右外側に延びる副掛け部と、左右の副掛け部の先端部に連続した前記主掛け部とを備えており、前記支柱部を側面視で後傾させることにより、前記副掛け部も背部の後方にはみ出ており、更に、前記副掛け部及び主掛け部は側面視で後傾姿勢になっており、かつ、前記左右副掛け部が支柱部の左右外側にはみ出る寸法を左右支柱の間の間隔寸法と略同じ程度かそれより大きい寸法に設定している。
【００１１】
請求項３の発明は、請求項１又は２に記載したハンガーを背部に取り付けている椅子に係るもので、この発明では、前記背部は、樹脂製のインナーシェルを有する背もたれと、前記インナーシェルの上部が取り付く水平状のアッパーフレームを有する金属製の背支柱と、前記背支柱の後ろ側に配置された背面カバーとを備えており、前記インナーシェルと背面カバーとは前記背支柱のアッパーフレームよりも上方に延びており、前記背支柱のアッパーフレームにハンガーを固定している。
【発明の効果】
【００１２】
本願発明によると、ハンガーの主掛け部の少なくとも上面（すなわち物品を支持する面）が背面視で上向き凹状に湾曲又は屈曲しているため、ストールのような平らな物品を二つ折りにして掛けると、左又は右に偏った状態で掛けても自然とセンターを揃えた状態に移動することになり、また、椅子が動いても左右いずれかに偏ることはなくて物品のセンターがハンガーのセンターに揃えられる。このため、ストールのような平らな物品（織物製品や編み物製品）を見た目の良い状態に保持できる。従って、女性用の椅子に好適であると言える。
【００１３】
椅子のハンガーに通常のフック付きハンガーを引っ掛けることも有り得るが、フック付きハンガーは椅子におけるハンガーの主掛け部の左右中間部に位置決めされるため、この場合も体裁の良い状態に保持できる。更に、フック付きや紐付きの他の物品を椅子のハンガーに吊り下げることも可能であるが、この場合も物品をハンガーの左右中間部に位置決めできるため体裁が良い。
【００１４】
請求項２のように構成すると、副掛け部が支柱部の左右外側に張り出しているため、副掛け部と主掛け部とにジャケットやベストのような後身頃と前身頃とを有する衣類を掛けることができるが、副掛け部も背部の後ろ側にはみ出ているため衣類が背部の背面に接触することが防止又は著しく抑制される。従って、衣類を汚れたり傷付いたりしない状態に掛けることができる。
【００１５】
ところで、特許文献１では、既述のとおり、支柱の上端に後ろ向き水平部が形成されている。これは、横長水平部を背もたれの後方にはみ出させるためと解される。しかし、ジャケットのような衣類を掛けると、衣類の肩部が左右の後ろ向き水平部で支持されるため、衣類の肩部は前後方向に広がり勝手となり、このため衣類が型崩れしやすくなる虞がある。
【００１６】
他方、本願の請求項２の構成にすると、副掛け部と主掛け部とは側面視で後傾姿勢であるため、副掛け部と主掛け部との前後間隔はごく小さくなり、このため、衣類を掛けたときに肩部が広がることを防止して、衣類の型崩れを防止できる。この点も請求項２の発明の利点である。
【００１７】
請求項３のように構成すると、ハンガーは金属製のアッパーフレームに固定されているため、ハンガーの取り付け強度を従来に比べて格段に大きくできる。また、ハンガーの取り付け部（支柱部）は背もたれのインナーシェルと背面カバーとの間の隙間に入っているため体裁が良い。特に、実施形態のようにアッパーフレームを上方から覆うカバーを設けると、ハンガーを取り付けた状態でも取り外した状態でも優れた美観を得ることができる。
【発明を実施するための最良の形態】
【００１８】
次に、本願発明の実施形態を図面に基づいて説明する。図１のうち（Ａ）は正面図、（Ｂ）は背面図、（Ｃ）は側面図であり、図２のうち（Ａ）は部分平面図で、（Ｂ）は後ろからみた部分斜視図であり、図３のうち（Ａ）はハンガーの取り付け構造を示す斜視図、（Ｂ）は背部の上部の縦断側面図である。
【００１９】
本願発明は移動自在な事務用回転椅子に適用しており、椅子は、脚支柱１の上端に固定したベース２、ベース２の上方に配置した座３、座３の後方に配置した背もたれ４、背もたれ４の後方に配置したバックカバー５、背もたれ４の上部後方に配置したハンガー６を備えている。バックカバー５の下方にはリアカバー７を配置している。
【００２０】
前記ベース２には、図３に示すように左右２本の金属製パイプ材８を主要要素とした揺動フレーム９が後傾動及び後退動可能に連結されており、この揺動フレーム９の水平部に座３が固定されている。ベース２には、揺動フレーム９の後傾動を弾性的に支持するばねが内蔵されている。なお、揺動フレーム９は板金製としたりダイキャスト製としたりすることも可能である。
【００２１】
揺動フレーム９を構成するパイプ材８には、後部において上向きに延びる背支柱８ａが一体に形成されており、左右の背支柱８ａの上端部には後ろ向き開口コ字状の金属製アッパーフレーム１０が溶接によって固着されている。揺動フレーム９を構成する左右のパイプ材８は複数の箇所が連結材で連結されており、また、背支柱８ａには、ランバーサポート装置が配置されているが、本願発明との関係はないので説明は省略する。本実施形態では、背部は、背もたれ４と、アッパーフレーム１０を有する背支柱８ａと、バックカバー５とを主要部材として構成されている。
【００２２】
背もたれ４は、合成樹脂製のインナーシェル４ａとその前面に張ったクッション材４ｂとからなっており（クロスも備えている）、インナーシェル４ａの上部がアッパーフレーム１０に前後離反不能に固定されている。バックカバー５は上部から下部に向けて幅狭になっており、アッパーフレーム１０と背支柱８ａに着脱可能に取り付けられている。
【００２３】
また、バックカバー５の上部はアッパーフレーム１０よりも幅広であり、従って、アッパーフレーム１０はその全体がバックカバー５で隠れている。背もたれ４のインナーシェル４ａ及びバックカバー５ともアッパーフレーム１０より上方に露出しているが、インナーシェル４ａの方が大きく露出している。
【００２４】
ハンガー６は１本の線材（棒材）を材料にして製造されており、左右の支柱部６ａと、左右支柱部６ａの上端から左右外向きに延びる副掛け部６ｂと、左右副掛け部６ｂの先端間に一体に繋がった主掛け部６ｃとを有している。
【００２５】
左右支柱部６ａの下部には補強板１１が溶接によって固着されており、補強板１１をボルト１２でアッパーフレーム１０に固定している。このようにハンガー６は金属製のアッパーフレーム１０に固定されているため、高い取り付け強度を確保できる。左右支柱部６ａは補強板１１の下方に露出しており、この下向き露出部はアッパーフレーム１０に空けられた穴（図示せず）に嵌まっている。この点においてもハンガー６は取り付け強度が高くなっている。
【００２６】
アッパーフレーム１０及び補強板１１は上方から上カバー１３で覆われている。このため、ボルト１２や補強板１１が露出して美観を損ねるような問題はない。なお、上カバー１３には、ハンガー６の支柱部６ａとの干渉を防止するための前向き開口の切り開き溝が形成されている。上カバー１３の前向き切り開き溝にキャップを着脱自在に取り付けて、ハンガー６を使用しない状態では前向き切り開き溝をキャップで塞ぐことも可能である。但し、上カバー１３はバックカバー５とインナーシェル４ａとの間の隙間に入っていてそれ自体があまり目立たず、加えて、前向き切り開き溝は小さくてこれまた目立たないため、必ずしもキャップを設ける必要はない。
【００２７】
左右の支柱部６ａは正面視（背面視）では略平行に延びており、また、側面視では補強板１１の上方に後傾姿勢で延びており、このため、副掛け部６ｂと主掛け部６ｃとはバックカバー５の外側にはみ出ている。また、例えば図１（Ｂ）から理解できるように、副掛け部６ｂは背面視でやや斜め下向きの姿勢になっており、平面視では、図２（Ａ）に表示されているようにほぼ横長の姿勢になっている。
【００２８】
また、副掛け部６ｂは側面視ではかなりの角度で後傾している。他方、主掛け部６ｃは、側面視では副掛け部６ｂと略同じ角度で後傾しており、背面視では上向き凹状に緩く湾曲している。言うまでもないが、主掛け部６ｃはその左右中間部が最も下に位置している。副掛け部６ｂの左右長さ寸法は左右支柱部６ａの間隔寸法よりもやや大きい寸法に設定している。
【００２９】
椅子の後方上部（或いは後方）から見た状態で、副掛け部６ｂと主掛け部６ｃとは左右中央部に行くに従って間隔が広がる姿勢になっている。換言すると、主掛け部６ｃと副掛け部６ｂとの間にはかなり広い空間が空いている。このため、主掛け部６ｃには幾重かに折り重ねて厚くなったストール類Ｓも支障なく掛けることができる。また、左右支柱部６ａの間において主掛け部６ｃの前方に空間が空いており、この空間に人の手を入れることができるため、ストールＳのような物品を副掛け部６ｂと主掛け部６ｃとの間に通すことを容易に行える。
【００３０】
平面視では、副掛け部６ｂと主掛け部６ｃとの間隔はかなり狭くなっており、このため副掛け部６ｂ及び主掛け部６ｃを利用してジャケットのような衣類を掛けても、衣類が型崩れすることはなく、また、薄手の衣類の場合はほっそりとした上品な状態に掛けられるため見栄えが良い。そして、ハンガー６の主掛け部６ｃは左右中間部が最下端となるように上向き凹状（或いは下向き凸状）に湾曲しているため、ストールＳのような物品が主掛け部６ｃの横幅より小さくても、左や右に偏らずにハンガー６とセンターを合わせた状態に保持される（自動的に位置決めされる）。
【００３１】
上記の実施形態では主掛け部６ｃを背面視で湾曲させているが、緩い角度でくの字状に屈曲させることも可能である。また、ハンガー６は、金属パイプ製としたり、樹脂製としたり、或いは板金製品としたりすることも可能である。ハンガー６の支柱部６ａは、補強板１１を使用せずに、アッパーフレーム１０等の金属製背支持部材に直接に固定することも可能である。
【００３２】
更に、ハンガー６はアッパーフレーム１０等の部材に上方から単に差し込むだけの構成とすることも可能であり、このような構成も請求項に含まれている。更にまた、本願発明の適用対象は事務用回転椅子に限らず、例えば会議用に多用されるパイプ椅子など各種の椅子に適用できる。
【図面の簡単な説明】
【００３３】
【図１】（Ａ）は正面図、（Ｂ）は背面図、（Ｃ）は側面図である。
【図２】（Ａ）は部分平面図で、（Ｂ）は後ろから見た部分斜視図である。
【図３】（Ａ）はハンガーの取り付け構造を示す斜視図、（Ｂ）は背部の上部の縦断側面図である。
【符号の説明】
【００３４】
３  座
４  背部の主要要素である背もたれ
５  背部を構成するバックカバー
６  ハンガー
６ａ  支柱部
６ｂ  副掛け部
６ｃ  主掛け部
８ａ  背部を構成する背支柱
９  揺動フレーム
１０  アッパーフレーム
１２  ハンガーを固定するボルト
１３  上カバー
【図１】
2008029581.tif 000003
【図２】
2008029581.tif 000004
【図３】
2008029581.tif 000005